(57)【要約】【課題】  外観を損なう型抜き穴がアームケースの外面に露出することがなく、アームケースに装備する長さ調整機構の設計自由度を高めて設計を容易にすると同時に、外観を向上させることもできるヘッドホンを提供すること。【解決手段】  ヘッドホン本体２７から延出するアームケース２６の裏側壁２６ａの内面に、ヘッドバンド２３の端部から延出したアームスライダー２９の裏側面２９ａの凹凸２９ｂに係合する弾性係止部４１が一体形成されてなるヘッドホン２１において、アームケース２６の裏側壁２６ａに対向する表側壁２６ｃに、表側壁２６ｃの外表面を覆うバッジ４７を着脱可能に装備して、アームケース２６の表側壁２６ｃに形成される型抜き穴４５をバッジ４７によって隠す。【選択図】        図４
2005277617.tif 000002
【特許請求の範囲】
【請求項１】
頭の上を跨ぐヘッドバンドと、電気音響変換部を収容したハウジングから前記ヘッドバンドの端部に向けて略筒状のアームケースを延出させたヘッドホン本体と、前記ヘッドバンドの端部から延出して前記アームケースに摺動可能に嵌合する長さ調整用のアームスライダーとを備え、前記アームケースの裏側壁の内面には、前記アームスライダーの内側面の凹凸に係合してアームスライダーを弾性的に係止する弾性係止部が一体形成されてなるヘッドホンであって、
前記アームケースの裏側壁に対向する表側壁に、該表側壁の外表面を覆うバッジが着脱可能に装着されることを特徴とするヘッドホン。
【発明の詳細な説明】
【技術分野】
【０００１】
本発明は、ヘッドホンに関するものである。
【背景技術】
【０００２】
ヘッドホン本体から延出したアームケースへのアームスライダーの嵌合長を調節することで、ヘッドホン本体の電気音響変換部の位置を使用する人の耳の位置に調整することのできるヘッドホンがある。
図１は、この種のヘッドホンの従来例を示したものである。
このヘッドホン１は、頭の上を跨ぐヘッドバンド３と、電気音響変換部（スピーカユニット）を収容したハウジング７からヘッドバンド３の端部に向けて略筒状のアームケース８を延出させたヘッドホン本体９と、ヘッドバンド３の端部から延出して図に矢印Ａで示すようにアームケース８に摺動可能に嵌合する長さ調整用のアームスライダー１１とを備えている。
【０００３】
アームスライダー１１の裏側面（使用する人の頭部側の面）には、長さ調整用の複数の凹凸１１ａが連続した波状に形成されている。また、図示はしていないが、アームスライダー１１の先端の裏側面には、抜け止め用の弾性突起等も装備される。
【０００４】
アームケース８は、略角筒状で、図示はしていないが、使用する人の頭部側に位置する裏側壁の内面に、アームスライダー１１の裏側面の凹凸１１ａに係合してアームスライダー１１を弾性的に係止する弾性係止部が一体形成される。
【０００５】
以上のアームスライダー１１やアームケース８は、通常、樹脂の射出成形品である。
アームケース８の場合、通常、アームスライダー１１の裏側面の凹凸１１ａを係止する弾性係止部が射出成形の際にアンダーカットにならないように、アームケース８の表側壁の前記弾性係止部に対向する位置には、弾性係止部の型取りに必要な金型を挿通させるための型抜き穴１３が貫通形成される（例えば、特許文献１参照）。
【０００６】
【特許文献１】特開平８−１８２０８６号公報
【発明の開示】
【発明が解決しようとする課題】
【０００７】
ところが、上記の型抜き穴１３は、外部に露出しているため、外観を損なうという問題があった。
また、型抜き穴１３の露出による外観の見劣りを最小限にするために、型抜き穴１３をできるだけ小さくしたり、或いは、型抜き穴１３の形状を図示のように長円形状にデザインするなどの工夫をするが、このような工夫は、逆に、弾性係止部を型取りする金型の寸法や形状を拘束し、アームケースに装備する長さ調整機構の設計自由度を狭めて、設計を困難にする原因にもなった。
【０００８】
本発明が解決しようとする課題としては、上述した従来技術において生じる、型抜き穴が露出して外観を損ねるという問題、或いは、型抜き穴を違和感の生じないようにデザインする結果、アームケースに装備する長さ調整機構の設計自由度が狭められて、設計が困難になるという問題がそれぞれ一例として挙げられる。
【課題を解決するための手段】
【０００９】
請求項１に記載のヘッドホンは、頭の上を跨ぐヘッドバンドと、電気音響変換部を収容したハウジングから前記ヘッドバンドの端部に向けて略筒状のアームケースを延出させたヘッドホン本体と、前記ヘッドバンドの端部から延出して前記アームケースに摺動可能に嵌合する長さ調整用のアームスライダーとを備え、前記アームケースの裏側壁の内面には、前記アームスライダーの内側面の凹凸に係合してアームスライダーを弾性的に係止する弾性係止部が一体形成されてなるヘッドホンであって、前記アームケースの裏側壁に対向する表側壁に、該表側壁の外表面を覆うバッジが着脱可能に装着されることを特徴とする。
【発明を実施するための最良の形態】
【００１０】
以下、本発明に係るヘッドホンの好適な実施の形態について、図面を参照して詳細に説明する。
図２乃至図４は本発明に係るヘッドホンの一実施の形態を示したもので、図２は本発明の一実施の形態のヘッドホンの正面図、図３は図２のＢ矢視図、図４は図２に示したヘッドホンの要部の拡大斜視図である。
【００１１】
本実施の形態のヘッドホン２１は、頭の上を跨ぐヘッドバンド２３と、電気音響変換部（スピーカユニット）を収容したハウジング２５からヘッドバンド２３の端部に向けて略筒状のアームケース２６を延出させた左右一対のヘッドホン本体２７と、ヘッドバンド２３の端部から延出して図２に矢印Ｃで示すようにアームケース２６に軸方向に摺動可能に嵌合する長さ調整用のアームスライダー２９とを備えたステレオヘッドホンで、例えば、ＭＤプレーヤーやＣＤプレーヤーを始めとして、携帯式及び据え置き式の各種のＡＶ機器に利用可能なものである。
【００１２】
本実施の形態の場合、ヘッドバンド２３は、図２に示すように、左右一対のバンド本体３１，３２の端部相互をヒンジ３３により接続したもので、使用しない時は、ヒンジ３３の部分で折りたたんで、コンパクトに収納することができる。
また、ヒンジ３３は、使用する人の頭部の大きさに合わせて、左右のバンド本体３１，３２の開きを拡縮する場合にも有用である。
【００１３】
アームスライダー２９は、樹脂材料の射出成形によって、各バンド本体３１，３２の端部に一体成形されている。
各アームスライダー２９は、その裏側面（使用する人の頭部側の面）２９ａに、長さ調整用の複数の凹凸２９ｂが連続する波状に形成されている。また、図３に示すように、アームスライダー２９の先端の裏側面２９ａには、抜け止め用の弾性突起２９ｃが形成されている。
【００１４】
アームケース２６は、略角筒状で、樹脂材料の射出成形によってハウジング２５と一体成形される。
アームケース２６は、図３に示すように、使用する人の頭部側に位置する裏側壁２６ａの内面に、アームスライダー２９の裏側面２９ａの凹凸２９ｂに係合してアームスライダー２９を弾性的に係止する弾性係止部４１と、弾性突起２９ｃの引っ掛かりとなってアームスライダー２９はアームケース２６から抜け出すことを防止する抜け止め部４２とが一体形成されている。
【００１５】
弾性係止部４１は、裏側壁２６ａに形成した略コ字状の切り離し溝２６ｂによって形成された片持ち梁状の弾性片で、自由端となっている先端４１ａの裏面（アームケース２６の内部に向いている面）に、アームスライダー２９の凹凸２９ｂの窪みに嵌合する突起（図示略）が突設されている。
弾性係止部４１の裏面の図示せぬ突起は、凹凸２９ｂの窪みを移動する際に、クリック感を発生して、長さ調整量を明確にする長さ調整機構を形成している。
【００１６】
一方、抜け止め部４２は、弾性係止部４１よりも更にハウジング２５側に寄った位置に装備された横木状で、アームケース２６に挿入された弾性突起２９ｃの端部２９ｄに係合することで、アームスライダー２９の抜け止めを果たす。
【００１７】
本実施の形態のヘッドホン２１でも、アームケース２６の弾性係止部４１が射出成形の際にアンダーカットにならないように、図４に示すように、アームケース２６の表側壁２６ｃの前記弾性係止部４１に対向する位置には、弾性係止部４１の型取りに必要な金型を挿通させるための型抜き穴４５が貫通形成されている。
しかし、本実施の形態の場合、アームケース２６の表側壁２６ｃには、図４に示すように、該表側壁２６ｃの外表面を覆うバッジ４７が着脱可能に装着される。
即ち、アームケース２６の表側壁２６ｃに開口させた型抜き穴４５は、表側壁２６ｃに装着されるバッジ４７によって覆われてしまうため、外観を損なう型抜き穴４５が外部に露出することがない。
【００１８】
従って、長さ調整機構である弾性係止部４１の設計自由度を狭める原因となる型抜き穴４５の小型化等が不要になる。
換言すると、型抜き穴４５は、弾性係止部４１を型取りする金型をセットし易いように、また、金型の構造が複雑にならないように、大きく大胆に開口させることができる。
このような型抜き穴４５の処理によって、ヘッドホン２１に装備する長さ調整機構の設計自由度を高めて、金型や、長さ調整機構等の設計を容易にすることができる。
【００１９】
しかも、アームケース２６の表側壁２６ｃに装着されるバッジ４７はアームケース２６とは別個の独立した部品なので、色彩や形状等を相異させた複数種を用意しておけば、バッジ４７の取り替えで簡単に意匠的な変化を与えることができ、外観の向上及び、商品価値の向上を図ることができる。
【００２０】
なお、上記実施の形態に示したヘッドホン２１は、電気音響変換部を収容したハウジング２５が耳の上に重なるように装着される耳載せ型ヘッドホンであるが、ハウジングが耳内に挿入されるインザイヤー方式のヘッドホンにも、本発明は適用可能である。
【００２１】
また、上記実施の形態では、アームケース２６はハウジング２５と一体形成する構成であったが、アームケース２６はハウジング２５と別体で、適宜係合構造によってハウジング２５に合体させる構成にすることも考えられる。
【００２２】
また、上記実施の形態に示したアームスライダー２９やアームケース２６は、全て樹脂製であるが、インサート成形等を利用することで、部分的に金属材を適用した構成にすることも可能である。
【００２３】
以上、詳述したように本実施の形態に係るヘッドホン２１は、頭の上を跨ぐヘッドバンド２３と、電気音響変換部を収容したハウジングからヘッドバンド２３の端部に向けて略筒状のアームケース２６を延出させたヘッドホン本体２７と、ヘッドバンド２３の端部から延出してアームケース２６に摺動可能に嵌合する長さ調整用のアームスライダー２９とを備え、アームケース２６の裏側壁２６ａの内面には、アームスライダー２９の内側面の凹凸２９ｂに係合してアームスライダー２９を弾性的に係止する弾性係止部４１が一体形成されてなるヘッドホン２１であり、アームケース２６の裏側壁２６ａに対向する表側壁に、該表側壁の外表面を覆うバッジ４７が着脱可能に装着される。
【００２４】
このように、本実施の形態に係るヘッドホン２１は、長さ調整機構として、アームスライダー２９の裏側面２９ａの凹凸２９ｂを係止する弾性係止部４１が、アームケース２６の裏側壁２６ａの内面に装備される。そして、この弾性係止部４１が射出成形の際にアンダーカットにならないように、アームケース２６の表側壁２６ｃの弾性係止部４１に対向する位置には、弾性係止部４１の型取りに必要な金型を挿通させるための型抜き穴４５が貫通形成される。
【００２５】
しかし、アームケース２６の表側壁２６ｃに装着されるバッジ４７によって覆われてしまうため、外観を損なう型抜き穴４５が外部に露出することがない。
従って、長さ調整機構である弾性係止部４１の設計自由度を狭める原因となる型抜き穴４５の小型化等が不要になる。換言すると、型抜き穴４５は、弾性係止部４１を型取りする金型をセットし易いように、また、金型の構造が複雑にならないように、大きく大胆に開口させることができる。
【００２６】
このような型抜き穴４５の処理によって、ヘッドホン２１に装備する長さ調整機構の設計自由度を高めて、金型や、長さ調整機構等の設計を容易にすることができる。
しかも、アームケース２６の表側壁２６ｃに装着されるバッジ４７はアームケース２６とは別個の独立した部品なので、色彩や形状等を相異させた複数種を用意しておけば、バッジ４７の取り替えで簡単に意匠的な変化を与えることができ、外観の向上及び、商品価値の向上を図ることができる。
【図面の簡単な説明】
【００２７】
【図１】従来のヘッドホンの要部の拡大斜視図である。
【図２】本発明の実施の形態に係るヘッドホンの正面図である。
【図３】図２のＢ矢視図である。
【図４】図２に示したヘッドホンの要部の拡大斜視図である。
【符号の説明】
【００２８】
２１  ヘッドホン
２３  ヘッドバンド
２５  ハウジング
２６  アームケース
２６ａ  裏側壁
２６ｂ  切り離し溝
２６ｃ  表側壁
２７  ヘッドホン本体
２９  アームスライダー
２９ａ  裏側面
２９ｂ  凹凸
２９ｃ  弾性突起
３１，３２  バンド本体
３３  ヒンジ
４１  弾性係止部
４１ａ  先端
４２  抜け止め部
４５  型抜き穴
４７  バッジ
【図１】
2005277617.tif 000003
【図２】
2005277617.tif 000004
【図３】
2005277617.tif 000005
【図４】
2005277617.tif 000006